(57)【要約】【課題】使用時に、座を安定して強力に支持することができるとともに、不使用時には、座が折り畳まれて、コンパクトに机の下等に収容しうるようにした、構造が簡単で、安価に製造できる椅子を提供する。【解決手段】ベース５に立設した脚支柱６の上端部に、受けローラ８を左右方向を向く軸９をもって枢着し、背凭れ１０を支持する背凭れ支杆１１の下端部を、ベース５に左右方向を軸１２をもって枢着し、かつ座体１８の下面を、受けローラ８上に、前後方向に移動可能として載置して、座体１８の後端部を、背凭れ支杆１１の中間部に、左右方向を向く軸（水平杆１５）まわりに回動可能として連結する。【選択図】　　　　図３
2004135817.tif 000002
【特許請求の範囲】
【請求項１】
ベースに立設した脚支柱の上端部に、受けローラを左右方向を向く軸をもって枢着し、背凭れを支持する背凭れ支杆の下端部を、前記ベースに左右方向を軸をもって枢着し、かつ座体の下面を、前記受けローラ上に、前後方向に移動可能として載置して、座体の後端部を、前記背凭れ支杆の中間部に、左右方向を向く軸まわりに回動可能として連結したことを特徴とする椅子。
【請求項２】
座体がほぼ水平をなし、かつ背凭れ支杆が後傾する使用位置から、前記背凭れ支杆を、前方に所要角度回動させた不使用位置としたとき、座体と背凭れ支杆との連結部が受けローラより上位となり、座体が前下がり傾斜するようにした請求項１記載の椅子。
【請求項３】
背凭れ支杆を前方に向かって付勢する付勢手段を設けた請求項１または２記載の椅子。
【請求項４】
脚支柱の上端に左右方向を向く水平杆を固着し、この水平杆の両端に、左右１対の受けローラを軸着し、かつ座体の下面の両側部に設けた前後方向を向く内向きコ字状のレールを、各受けローラに外嵌した請求項１〜３のいずれかに記載の椅子。
【請求項５】
背凭れ支杆の下部を、１本の角管とし、その上端に、正面視上向きコ字状とした背凭れフレームの下端部における左右方向を向く水平杆の中央を固着し、前記水平杆の両側部を座体と連係し、かつ前記水平杆の両端より起立する左右の側杆により、背凭れの両側部を支持するようにした請求項１〜４のいずれかに記載の椅子。
【発明の詳細な説明】
【０００１】
【発明の属する技術分野】
本発明は、学校の教室や講堂等において使用される椅子であって、不使用時には、背凭れを机に向かって前方に移動させておくようにしたものに関する。
【０００２】
【従来の技術】
この種の従来の椅子としては、カウンターの下部や、机の前下方の床面上等に、左右方向を向く軸をもって枢着した１本の脚支柱の上端部に座を固着し、上記脚支柱を、後傾して座をほぼ水平に支持する使用位置から、ほぼ垂直をなすかまたは前傾して、座がカウンターまたは机の下に収容される不使用位置に向かって、常時ばね付勢したものがある（例えば、特許文献１〜３参照）。
【０００３】
また、平行リンク機構を用いて、座を、使用位置から、机に近接する不使用位置まで前後方向に移動しうるようにしたものもある（例えば、特許文献４参照）。
【０００４】
【特許文献１】
実公昭５８−３６８５７号公報（第１〜２頁、第２図）。
【特許文献２】
実開平５−２１７４５号公報（第１〜２頁、図２）。
【特許文献３】
特許第２８１５３４１号公報（第１〜４頁、第１図）。
【特許文献４】
特開２０００−１３９６０３号公報（第１〜４頁、図１）。
【０００５】
【発明が解決しようとする課題】
しかし、前者は、使用位置としたとき、後傾した脚支柱のみで座を支持するので、脚支柱の下端の枢着部に大きな負荷が掛り、同部を頑丈な構造としなければならない。また、座が脚支柱と一体的に固着されているので、不使用位置としたとき、カウンターの下方に大きな収容空間を確保しなければならない。
【０００６】
後者は、座が水平のままで、前方の不使用位置に移動するので、机の天板の下方に、前後方向に長い座用の収容空間を確保しなければならず、また、平行リンクを支持する支持ブロックが前後方向に長くなり、それが着座者の足に当ったり、通行の妨げとなったりするおそれがある。
【０００７】
本発明は、従来の技術が有する上記のような問題点に鑑み、使用時に、座を安定して強力に支持することができるとともに、不使用時には、座が折り畳まれて、コンパクトに机の下等に収容しうるようにした、構造が簡単で、安価に製造できる椅子を提供することを目的としている。
【０００８】
【課題を解決するための手段】
本発明によると、上記課題は、次のようにして解決される。
（１）ベースに立設した脚支柱の上端部に、受けローラを左右方向を向く軸をもって枢着し、背凭れを支持する背凭れ支杆の下端部を、前記ベースに左右方向を軸をもって枢着し、かつ座体の下面を、前記受けローラ上に、前後方向に移動可能として載置して、座体の後端部を、前記背凭れ支杆の中間部に、左右方向を向く軸まわりに回動可能として連結する。
【０００９】
（２）上記（１）項において、座体がほぼ水平をなし、かつ背凭れ支杆が後傾する使用位置から、前記背凭れ支杆を、前方に所要角度回動させた不使用位置としたとき、座体と背凭れ支杆との連結部が受けローラより上位となり、座体が前下がり傾斜するようにする。
【００１０】
（３）上記（１）または（２）項において、背凭れ支杆を前方に向かって付勢する付勢手段を設ける。
【００１１】
（４）上記（１）〜（３）項のいずれかにおいて、脚支柱の上端に左右方向を向く水平杆を固着し、この水平杆の両端に、左右１対の受けローラを軸着し、かつ座体の下面の両側部に設けた前後方向を向く内向きコ字状のレールを、各受けローラに外嵌する。
【００１２】
（５）上記（１）〜（４）項のいずれかにおいて、背凭れ支杆の下部を、１本の角管とし、その上端に、正面視上向きコ字状とした背凭れフレームの下端部における左右方向を向く水平杆の中央を固着し、前記水平杆の両側部を座体と連係し、かつ前記水平杆の両端より起立する左右の側杆により、背凭れの両側部を支持する。
【００１３】
【発明の実施の形態】
以下、本発明の一実施形態を、添付図面を参照して説明する。
図１及び図３は、本発明の椅子の一実施形態の使用位置としたときの状態を、図２及び図４は、同じく不使用位置としたときの状態を、また、図５〜図７は、各部の詳細を示す。
【００１４】
この椅子（１）は、机（２）（図４の想像線参照）の後方（図１〜図４の左方を前方とする）の床面（３）上に、アンカーボルト（４）をもって固着したベース（５）のほぼ中央に立設された垂直の脚支柱（６）を備えている。
【００１５】
脚支柱（６）は、前後方向に長い長円形断面の管材よりなり、その上端には、左右方向を向く水平杆（７）の中央部が、取付板（７ａ）を介して固着されている。
【００１６】
水平杆（７）の両端面には、受けローラ（８）が、左右方向を向く水平の軸（９）をもって枢着されている。
ベース（５）の後部中央には、背凭れ（１０）を支持する背凭れ支杆（１１）の下端部が、左右方向を向く軸（１２）をもって枢着されている。
【００１７】
背凭れ支杆（１１）は、軸（１２）まわりに配設され、かつ一方の端末が背凭れ支杆（１１）に、また他方の端末がベース（５）にそれぞれ係止された左右１対のねじりコイルばね（付勢手段）（１３）（１３）により、前方に向かって起立する方向、すなわち不使用位置に向かって常時付勢されている。
【００１８】
背凭れ支杆（１１）のほぼ下半部は、１本の角管（１４）により形成され、同じく上半部は、中央部が角管（１４）の上端に溶接等により固着された左右方向を向く水平杆（１５）と、その両側端より起立する左右１対の側杆（１６）とからなる正面視上向きコ字状をなす背凭れフレーム（１７）により形成され、背凭れ（１０）の両側部は、この左右の両側杆（１６）により支持されている。
【００１９】
座体（１８）の下面前後部には、左右方向を向く座支持板（１９）（２０）の両端部が固着されており、それらの座支持板（１９）（２０）の両側部には、前後方向を向くとともに、断面形が内向きコ字状をなす左右１対のレール（２１）（２１）が溶接等により固着されている。
【００２０】
両レール（２１）（２１）には、左右の受けローラ（８）（８）が内方より嵌合され、それによって、座体（１８）は、前後方向に移動しうるとともに、受けローラ（８）（８）の軸（９）（９）を中心として回動しうるようになっている。
【００２１】
後部の座支持板（２０）の両側部下面には、軸受金具（２２）（２２）が、その中央のＵ字状の軸受部（２２ａ）（２２ａ）を、背凭れ支杆（１１）における水平杆（１５）の両側部に下方より嵌合し、かつ軸受部（２２ａ）の上端が座支持板（２０）の下面により閉塞されるようにして固着され、これにより、座体（１８）の後端部が、背凭れ支杆（１１）の中間部に、左右方向を向く軸まわりに回動可能として連結されている。
【００２２】
図１及び図３に示すように、座体（１８）がほぼ水平をなし、背凭れ支杆（１１）が後傾し、かつ前部の座支持板（１９）の中央部下面に固着した側面視倒立Ｌ字状のストッパ（２３）に、水平杆（７）の取付板（７ａ）の中央前部が当接した使用位置から、背凭れ支杆（１１）を前方に起立するように所要角度回動させると、図２及び図４に示すように、座体（１８）と背凭れ支杆（１１）との連結部である水平杆（１５）が、受けローラ（８）より上位となり、座体（１８）が前下がり傾斜し、かつ水平杆（７）の中央部後面が、後部の座支持板（１９）の中央部下面に設けたストッパ（２４）に当接した不使用位置となる。
【００２３】
後方のストッパ（２４）は、座支持板（１９）の中央部下面に固着したブロック（２５）のねじ孔（２６）に螺合する前後方向を向く調節ねじ（２７）の前端に設けられ、この調節ねじ（２７）を回転させることより、その前後位置を調節しうるようになっている。
【００２４】
座体（１８）の下面には、レール（２１）（２１）等を覆うように、カバー（２８）が着脱自在に設けられている。このカバー（２８）のほぼ中央には、脚支柱（６）が挿通する前後方向に長い長孔（２９）と、背凭れ支杆（１１）が挿通する方形の通孔（３０）とが設けられている。また、カバー（２８）における両側後部の立ち上り縁には、水平杆（１５）が挿通するほぼＵ字状の切込み（３１）が設けられている。
【００２５】
背凭れ支杆（１１）は、ねじりコイルばね（１３）により、前方に向けて付勢されているので、椅子（１）は、常時は、図４に示すように、机（２）に近接した不使用位置に位置しており、椅子（１）の後方には、人が通れる程度の通路が形成される。
【００２６】
椅子（１）を使用するには、背凭れ（１０）とともに背凭れ支杆（１１）を、ねじりコイルばね（１３）の付勢力に抗して、使用位置まで後方に倒し、座体（１８）を水平として、その上に着座する。
【００２７】
使用後、椅子（１）から離れると、ねじりコイルばね（１３）の付勢力により、背凭れ支杆（１１）が前方に回動させられ、それに伴って、座体（１８）が前方に移動しつつ、下向き傾斜して、不使用位置に達し、水平杆（７）の中央部にストッパ（２５）が当接することにより、椅子（１）は不使用位置で停止させられる。
【００２８】
なお、本発明は、上記実施形態のみに限定されるものではなく、幾多の変形した態様で実施することができる。
【００２９】
例えば、脚支柱（６）の上端に１個の受けローラ（８）のみを設け、その上に座体（１８）の下面を直接載置して実施することができる。
【００３０】
【発明の効果】
請求項１記載の発明によると、使用位置としたとき、座体の前部を脚支柱により、同じく後部を背凭れ支杆により、安定して強力に支持することができ、しかも、不使用時には、背凭れと座体とを前方に移動させて、座体を机の下方等に収容し、椅子の後方に人が通行できる程度の通路を形成することができる。また、背凭れと座体とを、使用位置と不使用位置とに軽快に移動させることができる。
【００３１】
請求項２記載の発明によると、不使用位置としたとき、座体が前下がり傾斜するので、机の下方等における座体の収容スペースの前後幅を小さくすることができる。
【００３２】
請求項３記載の発明によると、不使用時に椅子は常に不使用位置に復帰させられるので、使用後に、椅子を意識的に不使用位置に戻す必要がなく、戻し忘れのおそれもない。
【００３３】
請求項４記載の発明によると、脚支柱は１本であっても、左右に離間した１対の受けローラにより、座体の前部を安定して支持することができるとともに、内向きコ字状のレールに受けローラが嵌合することにより、座体の前後動及び下向き傾動を円滑に案内できるだけでなく、座体の上方への移動をも阻止することができる。
【００３４】
請求項５記載の発明によると、背凭れ支杆の構造を簡素化でき、特に、背凭れ支杆の下半部と脚支柱とを、それぞれ１本の角管により形成することによって、座体より下方の構造を簡素化でき、安価に製造できる。
【図面の簡単な説明】
【図１】本発明の一実施形態を使用位置としたときの斜め前方より見た外観斜視図である。
【図２】同じく、不使用位置としたときの同様の外観斜視図である。
【図３】同じく、使用位置としたときの中央縦断側面図である。
【図４】同じく、不使用位置としたときの中央縦断側面図である。
【図５】図３のＶ−Ｖ線に沿う拡大縦断正面図である。
【図６】図３のＶＩ−ＶＩ線に沿う拡大縦断面図である。
【図７】図３のＶＩＩ−ＶＩＩ線に沿う拡大縦断正面図である。
【符号の説明】
（１）椅子
（２）机
（３）床面
（４）アンカーボルト
（５）ベース
（６）脚支柱
（７）水平杆
（７ａ）取付板
（８）受けローラ
（９）軸
（１０）背凭れ
（１１）背凭れ支杆
（１２）軸
（１３）ねじりコイルばね（付勢手段）
（１４）角管
（１５）水平杆
（１６）側杆
（１７）背凭れフレーム
（１８）座体
（１９）（２０）座支持板
（２１）レール
（２２）軸受金具
（２２ａ）軸受部
（２３）ストッパ
（２４）ストッパ
（２５）ブロック
（２６）ねじ孔
（２７）調節ねじ
（２８）カバー
（２９）長孔
（３０）通孔
（３１）切込み
【図１】
2004135817.tif 000003
【図２】
2004135817.tif 000004
【図３】
2004135817.tif 000005
【図４】
2004135817.tif 000006
【図５】
2004135817.tif 000007
【図６】
2004135817.tif 000008
【図７】
2004135817.tif 000009